(57)【特許請求の範囲】
【請求項１】
入力信号をパ−シャルレスポンス・クラスＩＶ等化する第１の等化手段と、
前記第１の等化手段の出力信号からデ−タを復号する第１の復号手段と、
前記入力信号を拡張パ−シャルレスポンス・クラスＩＶ等化する第２の等化手段と、
前記第２の等化手段の出力信号からデ−タを復号する第２の復号手段と、
前記第１の等化手段の出力信号と前記第２の等化手段の出力信号とから前記入力信号の信号状態に応じて最適なデータの検出方式を判別する信号状態判別手段と、
前記信号状態判別手段より出力される判別結果に基づき前記第１の復号手段の出力信号および前記第２の復号手段の出力信号のうちいずれかを選択して検出デ−タとする選択手段とを備え、
前記信号状態判別手段は、前記第１の等化手段の出力信号から誤差振幅を抽出する第１の誤差検出手段と、前記第１の誤差検出手段の出力振幅の自乗値または絶対値を平均化する第１の平滑手段と、前記第２の等化手段の出力信号から誤差振幅を抽出する第２の誤差検出手段と、前記第２の誤差検出手段の出力振幅の自乗値または絶対値を平均化する第２の平滑手段と、前記第１の平滑手段の出力振幅と前記第２の平滑手段の出力振幅の状態から入力信号の状態を判定する判定手段とを有し、
前記判定手段は、前記第１の平滑手段の出力振幅が前記第２の平滑手段の出力振幅と比べて１倍以外の所定の比率以下であるならば前記第１の復号手段が前記第２の復号手段よりも低い誤り率でデータを検出できると判定し、それ以外の場合には前記第２の復号手段が前記第１の復号手段よりも低い誤り率でデータを検出できると判定することを特徴とするデ−タ検出装置。
【請求項２】
前記第１の誤差検出手段は、前記第１の等化手段の出力信号を仮識別し、この仮識別結果により基準振幅を発生させ、この基準振幅と前記第１の等化手段の出力信号との差を求めることにより前記誤差振幅を抽出すると共に、前記第２の誤差検出手段は、前記第２の等化手段の出力信号を仮識別し、この仮識別結果により基準振幅を発生させ、この基準振幅と前記第２の等化手段の出力信号との差を求めることにより前記誤差振幅を抽出することを特徴とする請求項１記載のデ−タ検出装置。
を備えた請求項１記載のデ−タ検出装置。
【請求項３】
入力信号をパ−シャルレスポンス・クラスＩＶ等化する第１の等化手段と、
前記第１の等化手段の出力信号からデ−タを復号する第１の復号手段と、
前記入力信号を拡張パ−シャルレスポンス・クラスＩＶ等化する第２の等化手段と、
前記第２の等化手段の出力信号からデ−タを復号する第２の復号手段と、
前記第１の等化手段の出力信号から前記入力信号の信号状態に応じて最適なデータの検出方式を判別する信号状態判別手段と、
前記信号状態判別手段により出力される判別結果に基づき前記第１の復号手段の出力信号および前記第２の復号手段の出力信号を選択して検出デ−タとする選択手段とを備え、
前記信号状態判別手段は、前記第１の等化手段の出力信号から誤差振幅を抽出する誤差検出手段と、前記誤差検出手段の出力振幅の自乗値または絶対値を平均化する第１の平滑手段と、前記誤差検出手段の出力振幅から拡張パ−シャルレスポンス・クラスＩＶ等化の誤差振幅を求める第２のフィルタ手段と、前記第２のフィルタ手段の出力振幅の自乗値または絶対値を平均化する第２の平滑手段と、前記第１の平滑手段の出力振幅と前記第２の平滑手段の出力振幅の状態から入力信号の状態を判定する判定手段とを備えたことを特徴とするデ−タ検出装置。
【請求項４】
前記判定手段は、前記第１の平滑手段の出力振幅が前記第２の平滑手段の出力振幅と比べて１倍以外の所定の比率以下であるならば前記第１の復号手段が前記第２の復号手段よりも低い誤り率でデータを検出できると判定し、それ以外の場合には前記第２の復号手段が前記第１の復号手段よりも低い誤り率でデータを検出できると判定する比較手段を備えた請求項３記載のデ−タ検出装置。
【請求項５】
前記第１および第２の平滑手段が前記出力信号の自乗値を平均化する場合は、前記所定の比率をおよそ０．６倍としたことを特徴とする請求項１もしくは請求項４記載のデ−タ検出装置。
【請求項６】
前記第１および第２の平滑手段が前記出力信号の絶対値を平均化する場合は、前記所定の比率をおよそ０．７７倍としたことを特徴とする請求項１もしくは請求項４記載のデ−タ検出装置。
【発明の詳細な説明】
【０００１】
【発明の属する技術分野】
本発明は、記録媒体に記録されたデ−タを再生し、再生信号からデータを検出するデ−タ検出装置に関するものである。
【０００２】
【従来の技術】
近年、ディジタルデ−タを記録再生するハ−ドディスク装置や磁気テ−プ装置において、再生信号よりデータを検出する方法として、再生された信号をパ−シャルレスポンス等化し、その後ビタビ復号器などにより最尤復号することでデ−タを検出する、いわゆるＰＲＭＬ方式（Partial Response Maximum Likelihood）が用いられている。磁気記録装置に採用されるＰＲＭＬ方式には、再生された信号の符号間干渉が[１,０,−１]となるよう等化するパ−シャルレスポンス・クラスＩＶ等化（以下、ＰＲ４等化と称す）して最尤復号するＰＲ４ＭＬ方式と、再生された信号の符号間干渉が[１，１,−１，−１]となるよう等化する拡張パ−シャルレスポンス・クラスＩＶ等化（以下、ＥＰＲ４等化と称す）して最尤復号するＥＰＲ４ＭＬ方式とがよく知られている。
【０００３】
ＰＲ４ＭＬ方式とＥＰＲ４ＭＬ方式のどちらの検出方式がより低い誤り率でデ−タを検出できるかは、再生信号に含まれる信号成分と雑音成分の周波数分布に依存する。一般には、線記録密度が比較的低い場合にはＰＲ４ＭＬ方式の方が、また線記録密度が比較的高い場合にはＥＰＲ４ＭＬ方式のほうが有利となる。
【０００４】
このため、ディスクの内周部と外周部とで線記録密度が異なるハ−ドディスク装置の場合には、内周に近い部分と外周に近い部分とではＰＲ４ＭＬ方式とＥＰＲ４ＭＬ方式のどちらの方式がより適しているかが異なる場合がある。このような場合に対応した従来のデ−タ検出装置の例は、特許公報第２７１８４２４号、公開特許公報特開平８−２９３１６４号公報に開示されている。
【０００５】
特許公報第２７１８４２４号は、磁気ディスク再生装置にＰＲ４ＭＬ方式によるデ−タ検出部とＥＰＲ４ＭＬ方式によるデ−タ検出部を備え、いずれかの方式によって検出されたデ−タを選択して出力する。その選択方法に関しては、記録線密度に応じてディスクの外周部と内周部とで切り換える趣旨が記されているが、具体的方法、具体的構成については開示されていない。
【０００６】
また、特開平８−２９３１６４号公報でも、磁気ディスク再生装置にＰＲ４ＭＬ方式によるデ−タ検出回路とＥＰＲ４ＭＬ方式によるデ−タ検出回路を備えてデ−タを選択して出力する例が記載されている。その選択方法は、以下のようなものである。前述のように、ディスクの内周部と外周部とでは線記録密度が異なり、その結果ディスク上のどの位置の再生かによってＰＲ４ＭＬ方式とＥＰＲ４ＭＬ方式のどちらの方式がより適しているかが異なる。そこで、ディスク上の位置に相当するシリンダアドレスごとにどちらの方式を選択すべきかをあらかじめ登録しておき、再生するシリンダアドレスに応じて登録内容を参照してＰＲ４ＭＬ方式かＥＰＲ４ＭＬ方式かを選択するものである。
【０００７】
【発明が解決しようとする課題】
しかしながら、ＰＲ４ＭＬ方式とＥＰＲ４ＭＬ方式のどちらの検出方式がより低い誤り率でデ−タを検出できるかは、再生信号に含まれる信号成分と雑音成分の周波数分布に依存する。これらの周波数分布は、記録媒体上での線記録密度にも依存するが、線記録密度ばかりではなく、記録媒体や磁気ヘッドの特性ばらつきや経時変化、記録媒体と磁気ヘッド間の間隙距離の変動などによっても影響される。すなわち、検出方式の選択は、必ずしも線記録密度のみに依存するものではない。
【０００８】
例えば、線記録密度が一定の磁気テ−プ装置などにおいては、磁気テ−プや磁気ヘッドの特性ばらつきや経時変化、磁気テ−プと磁気ヘッド間の接触部の不安定さなどにより、再生信号に含まれる信号成分と雑音成分の周波数分布が常に変動し、ＰＲ４ＭＬ方式とＥＰＲ４ＭＬ方式のどちらの方式がより適しているかが随時変化する。磁気ディスク装置においても、ディスク上の位置で定まる線記録密度のみによってどちらの検出方式を選択すべきかが必ずしも特定されない。
【０００９】
本発明は、ディスク上の位置などのあらかじめ定められた線記録密度の情報を参照することなく、ＰＲ４ＭＬ方式とＥＰＲ４ＭＬ方式とから最良の方式を随時自動的に選択することで、常に低い誤り率でデ−タを検出できるデ−タ検出装置を提供することを目的とする。
【００１０】
また、本発明は、ＰＲ４ＭＬ方式とＥＰＲ４ＭＬ方式のいずれかを自動的に選択するとともに、選択に際してデ−タを途切れさせることなく消費電力を低減して動作するデ−タ検出装置を提供することを目的とする。
【００１１】
【課題を解決するための手段】
これらの目的を達成するために本発明のデ−タ検出装置は、信号状態判別手段が再生信号の状態をリアルタイムにモニタして再生信号の信号成分と雑音成分の状態を判別し、選択手段が信号状態判別手段の判別結果に応じてＰＲ４ＭＬ方式とＥＰＲ４ＭＬ方式とから最良の方式を随時自動的に選択する構成を有している。
【００１２】
この構成によって、本発明のデ−タ検出装置は、再生信号自身の信号状態に応じてＰＲ４ＭＬ方式とＥＰＲ４ＭＬ方式から最良の方式をリアルタイムに選択できるので、常に低い誤り率でデ−タを検出することができる。
【００１５】
【発明の実施の形態】
本発明のデ−タ検出装置は、入力信号をパ−シャルレスポンス・クラスＩＶ等化する第１の等化手段と、前記第１の等化手段の出力信号からデ−タを復号する第１の復号手段と、前記入力信号を拡張パ−シャルレスポンス・クラスＩＶ等化する第２の等化手段と、前記第２の等化手段の出力信号からデ−タを復号する第２の復号手段と、前記第１の等化手段の出力信号と前記第２の等化手段の出力信号とから前記入力信号の信号状態に応じて最適なデータの検出方式を判別する信号状態判別手段と、前記信号状態判別手段により出力される判別結果に基づき前記第１の復号手段の出力信号および前記第２の復号手段の出力信号のうちいずれかを選択して検出デ−タとする選択手段とを備え、前記信号状態判別手段は、前記第１の等化手段の出力信号から誤差振幅を抽出する第１の誤差検出手段と、前記第１の誤差検出手段の出力振幅の自乗値または絶対値を平均化する第１の平滑手段と、前記第２の等化手段の出力信号から誤差振幅を抽出する第２の誤差検出手段と、前記第２の誤差検出手段の出力振幅の自乗値または絶対値を平均化する第２の平滑手段と、前記第１の平滑手段の出力振幅と前記第２の平滑手段の出力振幅の状態から入力信号の状態を判定する判定手段とを備えたことを特徴としており、信号状態判別手段が入力信号の状態をリアルタイムで判別し、入力信号の状態に応じてＰＲ４ＭＬ方式とＥＰＲ４ＭＬ方式から最良の方式をリアルタイムに選択できるので、常に低い誤り率でデ−タを検出することができる。
【００２１】
以下、本発明の実施の形態について、図面を参照して説明する。
【００２２】
（実施の形態１）
実施の形態１では、第１の復号手段の出力信号と第２の復号手段の出力信号から入力信号の信号状態を判別して、判別結果に基づきデータを検出するデータ検出装置について説明する。
【００２３】
本発明の一実施の形態のデ−タ検出装置のブロック図を図１に示す。
【００２４】
図１において、１は記録媒体（図示せず）から再生される再生信号、２は再生信号１にＰＲ４等化を施す第１の等化手段であるＰＲ４等化回路、３はＰＲ４等化手段２から出力されるＰＲ４等化信号、４はＰＲ４等化回路２より出力されたＰＲ４等化信号３にビタビ復号法により最尤復号を行う第一の復号手段であるＰＲ４ビタビ復号回路、５はＰＲ４ビタビ復号回路４より出力されるＰＲ４復号デ−タ、６はＰＲ４等化回路２と第２の等化手段を構成し、ＰＲ４等化回路２より出力されたＰＲ４等化信号３にＥＰＲ４変換を施す第１のフィルタ手段であるＥＰＲ４変換フィルタ、９はＥＰＲ４変換フィルタ６より出力されるＥＰＲ４等化信号、１０はＥＰＲ４変換フィルタ６より出力されたＥＰＲ４等化信号９にビタビ復号により最尤復号を行う第二の復号手段であるＥＰＲ４ビタビ復号回路、１１はＥＰＲ４ビタビ復号回路１０より出力されるＥＰＲ４復号デ−タ、１２は入力されたＰＲ４等化信号３とＥＰＲ４等化信号９より再生信号１の信号状態を判別する信号状態判別回路、１３は信号状態判別回路１２より出力される状態判別信号、１４は入力された状態判別信号１３に応じてＰＲ４復号データ５、ＥＰＲ４復号デ−タ１１のいずれかのデータを選択する選択回路、１５は選択回路１４より出力される再生デ−タである。
【００２５】
また、ＥＰＲ４変換フィルタ６において、７はＰＲ４等化回路２より出力されたＰＲ４等化信号３を１シンボル期間だけ遅延する遅延回路、８はＰＲ４等化回路２より出力されたＰＲ４等化信号３と遅延回路７より出力された１シンボル前のＰＲ４等化信号を加算する加算回路である。
【００２６】
以上のように構成されたデ−タ検出装置について、図面を参照しながら説明する。
【００２７】
記録媒体（図示せず）から再生された再生信号１は、ＰＲ４等化回路２に入力される。ＰＲ４等化回路２は再生信号１に符号化間干渉が｛１，０，−１｝となるようＰＲ４等化を施し、等化した信号をＰＲ４等化信号３としてＰＲ４ビタビ復号回路４、ＥＰＲ４変換フィルタ６、信号状態判別回路１２へ出力する。
【００２８】
ＰＲ４ビタビ復号回路４は入力されたＰＲ４等化信号３をＰＲ４の符号間干渉を利用してビタビ復号法により最尤復号し、ＰＲ４復号デ−タ５として選択回路１４に出力する。ＰＲ４ビタビ復号回路４より出力されたＰＲ４復号デ−タ５はＰＲ４等化して最尤復号を行うＰＲ４ＭＬ方式でデ−タを検出した結果である。
【００２９】
ＥＰＲ４変換フィルタ６は入力されたＰＲ４等化信号３を符号間干渉が｛１，１，−１，−１｝となるようＥＰＲ４等化し、等化した信号をＥＰＲ４等化信号９として出力する。ＥＰＲ４変換フィルタ６は遅延回路７によって１シンボル期間だけ遅延された１シンボル期間前のＰＲ４等化信号と入力されたＰＲ４等化信号３を加算回路８によって加算することでＰＲ４とＥＰＲ４の符号間干渉の関係からＥＰＲ４等化信号を生成する。このように、ＥＰＲ４等化をＰＲ４等化回路２とＥＰＲ４変換フィルタ６の構成で実現することにより、回路規模の削減や動作の安定化が可能となる。
【００３０】
ＥＰＲ４ビタビ復号回路１０は入力されたＥＰＲ４等化信号９をＥＰＲ４の符号間干渉を利用してビタビ復号法により最尤復号し、ＥＰＲ４復号デ−タ１１として選択回路１４に出力する。ＥＰＲ４復号デ−タ１１は、ＥＰＲ４等化して最尤復号を行う、ＥＰＲ４ＭＬ方式でデ−タを検出した結果である。
【００３１】
信号状態判別回路１２はＰＲ４等化回路２より出力されたＰＲ４等化信号３とＥＰＲ４変換フィルタ６より出力されたＥＰＲ４等化信号９より再生信号１の信号状態を判別する。
【００３２】
以下、信号状態判別回路１２の構成と動作について、図２を参照して説明する。
図２は、本実施の形態における信号状態判別回路１２の構成を示すブロック図である。図２において２０は入力されたＰＲ４等化信号３の誤差を検出する第１の誤差検出手段であるＰＲ４誤差検出回路、２４はＰＲ４誤差検出回路２０より出力されるＰＲ４誤差信号、２９はＰＲ４誤差検出回路２０より出力されたＰＲ４誤差信号２４を自乗する自乗回路、３０は自乗回路２９より出力されたＰＲ４誤差信号２９の自乗値を平滑する平滑回路、３１は平滑回路３０より出力されるＰＲ４平滑誤差信号、３８は入力されたＥＰＲ４等化信号９の誤差を検出する第２の誤差検出手段であるＥＰＲ４誤差検出回路、２８はＥＰＲ４誤差検出回路３８より出力されるＥＰＲ４誤差信号、３２はＥＰＲ４誤差検出回路３８より出力されるＥＰＲ４誤差信号２８を自乗する自乗回路、３３は自乗回路３２より出力されたＥＰＲ４誤差信号２８の自乗値を平滑する平滑回路、３４は平滑回路３３より出力されるＥＰＲ４平滑誤差信号、３５は平滑回路３０より出力されるＰＲ４平滑誤差信号３１と平滑回路３３より出力さえるＥＰＲ４平滑誤差信号３４より、ＰＲ４ＭＬ方式とＥＰＲ４ＭＬ方式のどちらかの検出方式が低い誤り率でデータを検出するかを判別し、判別結果を状態判別信号１３として出力する判定回路である。
【００３３】
ここで、ＰＲ４誤差検出回路２０において、２１は入力されたＰＲ４等化信号３の信号を識別する仮識別回路、２２は仮識別回路２１より出力された識別結果より基準振幅を発生させる基準振幅発生回路、２３は入力されたＰＲ４等化信号３と基準振幅発生回路２２より出力された基準振幅との差を求めてＰＲ４誤差信号２４を出力する減算回路である。
【００３４】
また、ＥＰＲ４誤差検出回路３８において、３９は入力されたＥＰＲ４等化信号９の信号を識別する仮識別回路、４０は仮識別回路３９より出力された識別結果より基準振幅を発生させる基準振幅発生回路、４１は入力されたＥＰＲ４等化信号９と基準振幅発生回路４０より出力された基準振幅との差を求めてＥＰＲ４誤差信号２８を出力する減算回路である。
【００３５】
また、判定回路３５において、３６は入力されたＥＰＲ４平滑誤差信号３４に所定の係数を乗じる係数回路、３７は係数回路３６より出力された信号とＰＲ４平滑誤差信号３１を比較して判別結果としての状態判別信号１３を出力する比較回路である。
【００３６】
ＰＲ４誤差検出回路２０に入力されるＰＲ４等化信号３の振幅は、雑音が無い理想的な状態では、「Ａ」、「０」、「−Ａ」のいずれかの振幅となる。ただし、Ａは所定の正の値である。従って、ＰＲ４誤差検出回路２０は、雑音を含むＰＲ４等化信号３の振幅が理想的な状態での振幅に対しどれだけずれているかを示す誤差振幅を抽出する。
【００３７】
仮識別回路２１は、ＰＲ４等化信号３の振幅と３つの振幅「Ａ」、「０」、「−Ａ」と比較し、ＰＲ４等化信号３の振幅がどの振幅に最も近いかを識別し、その結果を基準振幅発生回路２２に出力する。基準振幅発生回路２２は、仮識別回路２１より出力された識別結果に基づき、雑音が無い理想的な状態で推定される振幅として「Ａ」、「０」、「−Ａ」のうちのいずれかを基準振幅として出力する。減算回路２３は、入力されたＰＲ４等化信号３の振幅と基準振幅発生回路２２より出力された基準振幅との差を求め、ＰＲ４誤差信号２４として出力する。これにより、ＰＲ４誤差信号２４は、仮識別回路２１による識別結果が概ね正しいものとすれば、ＰＲ４等化信号３に含まれる信号以外の成分、すなわち雑音成分の振幅を表している。自乗回路２９はＰＲ４誤差検出回路より入力されたＰＲ４誤差信号２４を自乗して誤差振幅の自乗値を平滑回路３０に出力する。平滑回路３０は自乗回路２９より出力されたＰＲ４誤差信号２９の自乗値を平滑しし、ＰＲ４平滑誤差信号３１を出力する。
【００３８】
一方、ＥＰＲ４誤差検出回路３８に入力されるＥＰＲ４等化信号９の振幅は、雑音が無い理想的な状態では、「２Ａ」、「Ａ」、「０」、「−Ａ」、「−２Ａ」のいずれかの振幅となる。ただし、Ａは所定の正の値である。そこで、ＥＰＲ４誤差検出回路３８は、雑音を含むＥＰＲ４等化信号９の振幅が理想的な状態での振幅に対しどれだけずれているかを示す誤差振幅を抽出する。
【００３９】
仮識別回路３９は、ＥＰＲ４等化信号９の振幅を５つの振幅「２Ａ」、「Ａ」、「０」、「−Ａ」、「−２Ａ」と比較し、ＥＰＲ４等化信号９の振幅がどの振幅に最も近いかを識別し、その結果を基準振幅発生回路４０に出力する。基準振幅発生回路４０は、仮識別回路３９より出力された識別結果に基づき、振幅「２Ａ」、「Ａ」、「０」、「−Ａ」、「−２Ａ」のうちのいずれかの振幅を基準振幅として出力する。減算回路４１は、入力されたＥＰＲ４等化信号９の振幅と基準振幅発生回路４０より出力された基準振幅との差を求め、ＥＰＲ４誤差信号２８として出力する。ＥＰＲ４誤差信号２８は、仮識別回路３９による識別結果が概ね正しいものとすれば、ＥＰＲ４等化信号９に含まれる信号以外の成分、すなわち雑音成分の振幅を表している。自乗回路３２は入力されたＥＰＲ４誤差信号２８を自乗して、自乗値を平滑回路３３に出力する。平滑回路３３は自乗回路３２より出力された誤ＥＰＲ４誤差信号２８の自乗値を平滑し、ＥＰＲ４平滑誤差信号３４を判定回路３５に出力する。
【００４０】
判定回路３５は平滑回路３０より出力されたＰＲ４平滑誤差信号３１と平滑回路３３より出力されたＥＰＲ４平滑誤差信号３４を比較する。ここで、ＰＲ４平滑誤差信号３１の振幅をＥｓｑ(ＰＲ４)としたとき、ＰＲ４等化信号３の信号成分と雑音成分の比（ＳＮＲ比）としてＳＮＲ(ＰＲ４)を（数１）のように定義する。
【００４１】
【数１】
0004048681.tif 000002
【００４２】
また、ＥＰＲ４平滑誤差信号３４の振幅をＥｓｑ(ＥＰＲ４)としたとき、ＥＰＲ４等化信号９のＳＮＲ比としてＳＮＲ(ＥＰＲ４)を（数２）のように定義する。
【００４３】
【数２】
0004048681.tif 000003
【００４４】
磁気テ−プ装置を用いた実験により、ＰＲ４ＭＬ方式を用いたデ−タ検出による誤り率、ＥＰＲ４ＭＬ方式を用いたデ−タ検出による誤り率、（数１）のＳＮＲ(ＰＲ４)と（数２）のＳＮＲ(ＥＰＲ４)の関係などを検討した結果、ＳＮＲ(ＥＰＲ４)がＳＮＲ(ＰＲ４)に比べておよそ３.８ｄｂ以上高いときにＥＰＲ４ＭＬ方式の方がＰＲ４ＭＬ方式より低い誤り率でデ−タを検出できることがわかった。また、ＳＮＲ(ＥＰＲ４)がＳＮＲ(ＰＲ４)に比べておよそ３.８ｄｂ以上高いということは、（数１）および(数２)よりＥｓｑ(ＥＰＲ４)の０.６倍がＥＳｑ(ＰＲ４)よりも小さいことと等価である。このことから、Ｅｓｑ(ＰＲ４)を表すＰＲ４平滑誤差信号３１とＳｅｑ(ＥＰＲ４)を表すＥＰＲ４平滑誤差信号３４との振幅の関係から、ＰＲ４ＭＬ方式とＥＰＲ４ＭＬ方式のどちらの方式がより低い誤り率でデ−タを検出できるのかを推定することができる。
【００４５】
係数回路３６は入力されたＥＰＲ４平滑誤差信号３４に３.８ｄｂの換算に相当する係数「０.６」を乗じ、比較回路３７に出力する。比較回路３７は係数回路３６より出力された乗算結果とＰＲ４平滑誤差信号３１の振幅を比較する。比較回路３７はＰＲ４平滑誤差信号３１の方が係数回路３６の出力値よりも小さいならばＰＲ４ＭＬ方式の方を選択し、それ以外の場合にはＥＰＲ４ＭＬ方式の方を選択し、選択結果を状態判別信号１３として出力する。状態判別信号１３は、ＰＲ４ＭＬ方式によるデ−タ検出とＥＰＲ４ＭＬ方式によるデ−タ検出とで、どちらの方式がより低い誤り率でデ−タを検出できるのかを推定した結果を示す信号である。
【００４６】
選択回路１４は、信号状態判別回路１２より入力された状態判別信号１３に応じて、ＰＲ４ビタビ復号回路４より入力されたＰＲ４復号データ４とＥＰＲ４ビタビ復号回路１０より入力されたＥＰＲ４復号データ１１のいずれかを選択する。選択回路１４は状態判別信号１３がＰＲ４ＭＬ方式の方がより低い誤り率でデ−タを検出できることを示す信号である場合はＰＲ４復号デ−タ５を、ＥＰＲ４ＭＬ方式の方がより低い誤り率でデ−タを検出できることを示す信号である場合はＥＰＲ４復号デ−タ１１を選択し、再生デ−タ１５として出力する。すなわち、ＰＲ４ＭＬ方式とＥＰＲ４ＭＬ方式とでより低い誤り率でデ−タを検出できると判断された方式による検出結果が再生デ−タ１５として得られることになる。
【００４７】
以上のように本実施の形態によるデ−タ検出装置は、再生信号自身の信号の状態をリアルタイムでモニタし、再生信号の状態に応じてＰＲ４ＭＬ方式とＥＰＲ４ＭＬ方式のうち最良の方式を随時自動的に選択することで、常に低い誤り率でデ−タを検出できる。
【００４８】
なお、本実施の形態では、信号状態判別回路１２は誤差信号を自乗したのち平滑する構成としたが、誤差信号の絶対値を平滑する構成にしてもよい。この場合は、自乗回路２９および自乗回路３２に代えてそれぞれ絶対値回路を用いる。また、ＰＲ４誤差信号２４の絶対値を平滑したＰＲ４平滑誤差信号３１の振幅をEabs(ＰＲ４)としたとき、ＰＲ４等化信号３の信号成分と雑音成分のＳＮ比としてＳＮＲ(ＰＲ４)を（数３）のように定義する。
【００４９】
【数３】
0004048681.tif 000004
【００５０】
また、ＥＰＲ４誤差信号２８の絶対値を平滑したＥＰＲ４平滑誤差信号３４の振幅をEabs(ＥＰＲ４)としたとき、ＥＰＲ４等化信号９の信号成分と雑音成分のＳＮ比としてＳＮＲ(ＥＰＲ４)を（数４）のように定義する。
【００５１】
【数４】
0004048681.tif 000005
【００５２】
磁気テ−プ装置を用いた実験では、本実施の形態と同様に（数４）のＳＮＲ(ＥＰＲ４)が（数３）のＳＮＲ(ＰＲ４)に比べておよそ３.８ｄｂ以上高いときにＥＰＲ４ＭＬ方式の方がＰＲ４ＭＬ方式より低い誤り率でデ−タを検出できる結果を得た。ここで、ＳＮＲ(ＥＰＲ４)がＳＮＲ(ＰＲ４)に比べておよそ３.８ｄｂ以上高いということは、（数３）および（数４）から、Eabs(ＥＰＲ４)の０.７７倍がEabs(ＰＲ４)よりも小さいことと等価である。そこで、判定回路３５において、係数回路３６はＥＰＲ４平滑誤差信号３４に３.８ｄｂの換算に相当する係数「０.７７」を乗じ、乗算値とＰＲ４平滑誤差信号３１の振幅を比較回路３７において比較する。このとき、ＰＲ４平滑誤差信号３１の方が係数回路３６の出力よりも小さいならばＰＲ４ＭＬ方式の方を選択し、それ以外の場合にはＥＰＲ４ＭＬ方式の方を選択することを示す状態判別信号１３を出力する。これにより、誤差信号を自乗に代えて絶対値で処理した場合でも全く同様の効果が得られるとともに、自乗する場合に比べてより簡単な回路構成で実現できる。
【００５３】
また、本実施の形態では、ＳＮＲ(ＥＰＲ４)がＳＮＲ(ＰＲ４)に比べておよそ３.８ｄｂ以上高いときにＥＰＲ４ＭＬ方式の方がＰＲ４ＭＬ方式より低い誤り率でデ−タを検出できる実験結果にもとづくものであったが、記録再生系の条件によっては必ずしも３.８ｄｂが判断基準になるとは限らない。ＰＲ４ＭＬ方式とＥＰＲ４ＭＬ方式の選択基準はこれに限定するものでなく、適用する記録再生系の条件に応じて設定できる。
【００５４】
（実施の形態２）
実施の形態２では、実施の形態１のデータ検出装置における第１の復号手段および第２の復号手段が信号状態判別手段の判別結果に応じて消費電力を低減して動作するデータ検出装置について説明する。
【００５５】
本発明の実施の形態２によるデ−タ検出装置のブロック図を図３に示す。
【００５６】
図３において、１は記録媒体（図示せず）から再生される再生信号、２は入力された再生信号１にＰＲ４等化を施す第１の等化手段であるＰＲ４等化回路、３はＰＲ４等化回路２から出力されるＰＲ４等化信号、６はＰＲ４等化回路２と第２の等化手段を構成し、ＰＲ４等化回路２より出力されたＰＲ４等化信号３にＥＰＲ４変換を施す第１のフィルタ手段であるＥＰＲ４変換フィルタ、９はＥＰＲ４変換フィルタより出力されるＥＰＲ４等化信号、１２はＰＲ４等化回路２より出力されるＰＲ４等化信号３とＥＰＲ４変換フィルタより出力されるＥＰＲ４等化信号９より再生信号１の信号状態を判別する信号状態判別回路、１３は信号状態判別回路１２より出力される状態判別信号、５２は信号状態判別回路１２より出力される状態判別信号１３に基づいて５３のＥＰＲ４制御信号と５４のＰＲ４制御信号、５５の選択信号を発生させるタイミング制御手段であるタイミング制御信号発生回路、５０はＰＲ４等化回路２より出力されたＰＲ４等化信号３をタイミング制御信号発生回路５２より出力されたＰＲ４制御信号５４に応じてビタビ復号するＰＲ４ビタビ復号回路、５１はＥＰＲ４変換フィルタ６より出力されたＥＰＲ４等化信号９をタイミング制御信号発生回路５２より出力されたＥＰＲ４制御信号５３に応じてビタビ復号するＥＰＲ４ビタビ復号回路、１４はタイミング制御信号発生回路５２より出力された選択信号５５に応じてＰＲ４ビタビ復号回路５０より出力されたＰＲ４復号データとＥＰＲ４ビタビ復号回路５１より出力されたＥＰＲ４復号デ−タ１１のいずれかを選択して５の再生信号を出力する選択回路である。
【００５７】
図３において、先に図１に示した実施の形態と同一構成で同一機能のブロックおよび同一機能の信号には同番号を付している。実施の形態２と実施の形態１との相違点は、ＰＲ４ビタビ復号回路５０、ＥＰＲ４ビタビ復号回路５１が消費電力を低減するよう動作し、状態判別信号１３に基づいて、ＰＲ４ビタビ復号回路５０、ＥＰＲ４ビタビ復号回路５１、選択回路５５の動作を制御するタイミング制御信号発生回路５２を備えたことである。
【００５８】
まず、ＰＲ４等化回路２は入力された再生信号１をＰＲ４等化し、ＰＲ４等化信号３をＥＰＲ４変換フィルタ６、信号状態判別回路１２に出力する。ＥＰＲ４変換フィルタ６は実施の形態１と同様の構成をとり、入力されたＰＲ４等化信号３をＥＰＲ４等化してＥＰＲ４等化信号９を信号状態判別回路１２とＥＰＲ４ビタビ復号回路５１に出力する。信号状態判別回路１２は実施の形態１と同様の構成をとり、ＰＲ４等化回路２より出力されたＰＲ４等化信号３とＥＰＲ４変換フィルタ６より出力されたＥＰＲ４等化信号９よりＰＲ４ＭＬ方式によるデ−タ検出とＥＰＲ４ＭＬ方式によるデ−タ検出とでどちらの方式がより低い誤り率でデ−タを検出できるのかを推定した結果を示す状態判別信号１３を生成し、タイミング制御信号発生回路５２に出力する。
【００５９】
タイミング制御信号発生回路５２は、信号状態判別回路１２より入力された状態判別信号１３よりＥＰＲ４ビタビ復号回路５１の動作を制御するＥＰＲ４制御信号５３、ＰＲ４ビタビ復号回路５０の動作を制御するＰＲ４制御信号５４、選択回路１４の制御信号となりＰＲ４ＭＬ方式とＥＰＲ４ＭＬ方式とを選択する選択信号５５とをそれぞれ出力する。
【００６０】
図４に状態判別信号１３と、タイミング制御信号発生回路５２が生成するＥＰＲ４制御信号５３、ＰＲ４制御信号５４、および選択信号５５のタイミング関係を示す。ここで、状態判別信号１３は、ＥＰＲ４ＭＬ方式の方が有利と判別した時にＨレベル（高電圧レベル）となり、それ以外の時はＬレベル（低電圧レベル）となる。ｔ１は信号状態判別回路１２によってＥＰＲ４ＭＬ方式の方が有利と判別された時刻、ｔ３はＰＲ４ＭＬ方式の方が有利と判別された時刻である。また、期間τはＰＲ４ビタビ復号回路５０、ＥＰＲ４ビタビ復号回路５１に信号が入力されてから復号デ−タが出力されるまでに要する時間であり、ｔ２、ｔ４はそれぞれＰＲ４ビタビ復号回路５０、ＥＰＲ４ビタビ復号回路５１が時刻ｔ１、ｔ３において入力された信号を復号した復号データを出力した時刻を示す。
【００６１】
図４において、時刻t１以前の期間のように状態判別信号１３がＬレベルである場合、タイミング制御信号発生回路５２は、ＰＲ４ＭＬ方式の方が有利であると判断し、ＰＲ４ビタビ復号回路５０は通常の動作を行うようＥＰＲ４制御信号５３をＬレベル、ＥＰＲ４ビタビ復号回路５１は動作を停止して消費電力を低減するようＰＲ４制御信号５４をＨレベル、選択回路１４はＰＲ４復号デ−タ５を選択して再生デ−タ１５として出力するよう選択信号５５をＬレベルの信号としてそれぞれ生成する。
【００６２】
図４における時刻t１において状態判別信号１３がＬレベルからＨレベルに変化すると、タイミング制御信号発生回路５２はＥＰＲ４方式の方が有利と判断し、ＥＰＲ４ビタビ復号回路５１が動作するようＥＰＲ４制御信号５３をＨレベルの信号として生成する。ここで、時刻t１から期間τが経過して時刻t２に至るまでの期間は、ＥＰＲ４ビタビ復号回路５１が通常に動作しても、ＥＰＲ４ビタビ復号回路５１に信号が入力されてから復号デ−タが出力されるまでに要する時間τの間はＥＰＲ４復号デ−タ１１の正常なデ−タが得られないため、ＰＲ４ビタビ復号回路５０を引き続き通常に動作させる必要があり、タイミング制御信号発生回路５２は、ＰＲ４制御信号５４はＨレベルの信号として生成する。このことから、タイミング制御信号発生回路５２は選択回路１４が時刻ｔ１から時刻ｔ２の期間にＰＲ４復号デ−タ５を選択するよう選択信号５５をＬレベルの信号として生成する。
【００６３】
また、図４において時刻t１から期間τだけ経過して時刻t２になると、ＥＰＲ４ビタビ復号回路５１よりＥＰＲ４復号デ−タ１１が正常に出力されるので、タイミング制御信号発生回路５２は、ＰＲ４ビタビ復号回路５０は動作を停止して、消費電力を低減するようＬレベルのＰＲ４制御信号５４を生成する。タイミング制御信号発生回路５２は、選択回路１４がＥＰＲ４復号デ−タ１１を選択するよう選択信号５５をＨレベルの信号として生成する。
【００６４】
また、図４において時刻t３において状態判別信号１３がＨレベルからＬレベルに再び変化すると、タイミング制御信号発生回路５２はＰＲ４ＭＬ方式の方が有利であると判断し、ＰＲ４ビタビ復号回路５０を動作させるためにＰＲ４制御信号５４をＨレベルの信号として生成する。しかし、時刻t３から時刻t４に至るまでの期間は、ＥＰＲ４制御信号５３および選択信号５５はＨレベルのままにする。これは、ＰＲ４ビタビ復号回路５０が通常に動作してもＰＲ４ビタビ復号回路５０に信号が入力されてから復号デ−タが出力されるまでに要する時間τの間はＰＲ４復号デ−タ５に正常なデ−タが得られないため、時刻t３以前と同様にＥＰＲ４ビタビ復号回路５１を通常に動作させ、選択回路１４においてもＥＰＲ４復号デ−タ９を選択するためである。
【００６５】
時刻t３から期間τだけ経過して時刻t４になると、ＰＲ４復号デ−タ５が正常に出力されるため、タイミング制御信号発生回路５２はＥＰＲ４制御信号５３および選択信号５５をＬレベルに変化させる。これにより、選択回路１４はＰＲ４復号デ−タ５を選択して再生デ−タ１５として出力し、ＥＰＲ４ビタビ復号回路５１は動作を停止し、消費電力を低減する。
【００６６】
ＰＲ４ビタビ復号回路５０はタイミング制御信号発生回路５２より出力されたＰＲ４制御信号５４に応じてＰＲ４等化信号３をビタビ復号法により最尤復号してＰＲ４復号データを生成する。ＰＲ４ビタビ復号回路５０は、図４に示すようにＰＲ４制御信号５４がＨレベルのときに通常の動作を行い、ＰＲ４制御信号５４がＬレベルのときには動作を停止して消費電力を低減するよう構成されており、ＰＲ４制御信号５４がＨレベルの時のみＰＲ４復号データを生成して出力する。
【００６７】
一方、ＥＰＲ４ビタビ復号回路５１はタイミング制御信号発生回路５２より出力されたＥＰＲ４制御信号１３に応じてＥＰＲ４等化信号９をビタビ復号法により最尤復号してＥＰＲ４復号データを生成する。ＥＰＲ４ビタビ復号回路５１は、図４に示すようにＥＰＲ４制御信号５３がＨレベルのときに通常の動作をおこない、Ｌレベルのときには動作を停止して消費電力を低減するよう構成されており、ＥＰＲ４制御信号５３がＨレベルの時のみＥＰＲ４復号データを生成して出力する。
【００６８】
選択回路１４は、タイミング制御信号発生回路５２より出力された選択信号５５に応じて、ＰＲ４ビタビ復号回路５０より出力されたＰＲ４復号デ−タ５とＥＰＲ４ビタビ復号回路５１より出力されたＥＰＲ４復号デ−タ１１のいずれかを選択して再生データ１５として出力する。選択回路１４は図４に示すように選択信号５がＨレベルのときにＥＰＲ４復号デ−タ１１を、選択信号５５がＬレベルのときにＰＲ４復号デ−タ５を選択して再生デ−タ１５として出力する。
【００６９】
以上の説明から明らかなように、本実施の形態のデータ検出装置は再生信号自身から信号の状態をリアルタイムでモニタしてＰＲ４ＭＬ方式とＥＰＲ４ＭＬ方式とから最良の方式を随時自動的に選択することで、常に低い誤り率でデ−タを検出できる。さらに、選択に際してデ−タを途切れさせることなくタイミングを制御しながら一方の復号回路を停止させることで消費電力を低減することができる。
【００７０】
（実施の形態３）
実施の形態３では、第１の等化復号手段の出力信号だけで入力信号の信号状態を判別して、判別結果に基づきデータを検出するデータ検出装置について説明する。
【００７１】
本発明の第３の実施の形態によるデ−タ検出装置のブロック図を図５に示す。
【００７２】
図５において、図１に示した実施の形態１と同一構成で同一機能のブロックおよび同一機能の信号には同番号を付している。本実施の形態が実施の形態１と異なる点は、状態判別手段としての信号状態判別回路６０がＰＲ４等化信号３のみで信号状態の判別を行っている点である。従って、本実施の形態では信号状態判別回路６０の動作のみ説明する。
【００７３】
信号状態判別回路６０は入力されたＰＲ４等化信号３に基づき状態判別信号１３を出力する。状態判別信号１３は、実施の形態１と同様に、ＰＲ４ＭＬ方式によるデ−タ検出とＥＰＲ４ＭＬ方式によるデ−タ検出とでどちらの方式がより低い誤り率でデ−タを検出できるのかを推定した結果を示す信号である。
【００７４】
信号状態判別回路６０の構成を図６に示す。
【００７５】
図６において、先に図２に示した第１の実施の形態における信号状態判別回路１２と同一構成で同一機能のブロックおよび同一機能の信号には同番号を付した。
図６において、信号状態判別回路６０は図２におけるＥＰＲ４誤差検出回路３８の代わりに第２のフィルタ手段であるＥＰＲ４誤差変換フィルタ６１を備える。ＥＰＲ４誤差変換フィルタ６１は入力されたＰＲ４誤差信号２４を1シンボル期間遅延させる遅延回路６２と遅延回路６２より遅延された1シンボル期間前のＰＲ４誤差信号と入力されたＰＲ４誤差信号２４を加算する加算回路６３で構成されている。
【００７６】
ＰＲ４誤差検出回路２０は入力されたＰＲ４等化信号３の誤差を検出する。ＰＲ４等化信号３の振幅は、雑音が無い理想的な状態では、「Ａ」、「０」、「−Ａ」のいずれかの振幅となる。ＰＲ４誤差検出回路２０は、雑音を含むＰＲ４等化信号３の振幅がこれらの理想的な状態での振幅に対しどれだけずれているかを示す誤差振幅を抽出し、ＰＲ４誤差２４として出力する。なお、ＰＲ４誤差検出回路２０の詳細な構成と動作は実施の形態１示した例と同じであるので説明を省略する。
【００７７】
ＥＰＲ４誤差変換フィルタ６１は入力されたＰＲ４誤差信号２４よりＥＰＲ４等化した場合の誤差を検出する。遅延回路６２は入力されたＰＲ４誤差信号２４を１シンボル期間だけ遅延させる。加算回路６３は、ＰＲ４誤差信号２４と遅延回路６２により遅延した信号を加算し、ＥＰＲ４誤差信号２８を出力する。このＥＰＲ４誤差信号２８は、ＰＲ４とＥＰＲ４の符号間干渉の関係から、ＥＰＲ４等化した場合の信号振幅が理想的な状態での振幅に対しどれだけずれているかを示す誤差振幅に相当する。
【００７８】
実施の形態１では、ＥＰＲ４等化した信号から「２Ａ」、「Ａ」、「０」、「−Ａ」、「−２Ａ」の５つの基準値との比較して仮判別した結果に基づいてＥＰＲ４誤差信号を得る構成であった。これに対して、本実施の形態では、ＰＲ４等化信号３を「Ａ」、「０」、「−Ａ」の基準値と比較して得たＰＲ４誤差信号２４からＥＰＲ４誤差信号を得る構成である。この構成では、雑音を含む信号を５つの基準値に仮判別する必要がないことから、仮判別に伴う誤りが少なく、より精度よくＥＰＲ４誤差信号２８を得ることができるとともに、回路規模も低減できる。
【００７９】
このようにして得られたＰＲ４誤差信号２４とＥＰＲ４誤差信号２８は、実施の形態１と全く同様に処理される。すなわち、ＰＲ４誤差信号２４は自乗回路２９に入力され、得られた誤差振幅の自乗値は平滑回路３０で平滑され、ＰＲ４平滑誤差信号３１が得られる。またＥＰＲ４誤差信号２８は自乗回路３２に入力され、得られた誤差振幅の自乗値は平滑回路３３で平滑され、ＥＰＲ４平滑誤差信号３４が得られる。ＰＲ４平滑誤差信号３１およびＥＰＲ４平滑誤差信号３４は、判定手段としての判定回路３５に入力される。判定回路３５は、ＥＰＲ４平滑誤差信号３４の振幅に所定の係数を乗じる係数回路３６と、ＰＲ４平滑誤差信号３１と係数回路３６との出力振幅を比較する比較回路３７とにより構成され、比較回路３７による比較結果を状態判別信号１３として出力する。
【００８０】
以上のように、本実施の形態においても実施の形態１と同様に再生信号自身から信号の状態をリアルタイムでモニタしてＰＲ４ＭＬ方式とＥＰＲ４ＭＬ方式とから最良の方式を随時自動的に選択することで、常に低い誤り率でデ−タを検出できる。
【００８１】
なお、本実施の形態では、信号状態判別回路６０において、誤差信号を自乗したのち平滑する構成としたが、誤差信号の絶対値を平滑する構成にしてもよい。
【００８２】
（実施の形態４）
実施の形態４では、実施の形態２のデータ検出装置における第１の復号手段および第２の復号手段が信号状態判別手段の判別結果に応じて消費電力を低減して動作するデータ検出装置について説明する。
【００８３】
実施の形態４によるデ−タ検出装置のブロック図を図７に示す。なお、先に図３に示した実施の形態２、および図５に示した実施の形態３と同一構成で同一機能のブロックおよび同一機能の信号には同番号を付した。本実施の形態は、実施の形態３に対して実施の形態２と同様に、状態判別信号１３にもとづき第１の復号手段および第２の復号手段が消費電力を低減するよう動作する点である。
【００８４】
ＰＲ４等化回路２は入力された再生信号１にＰＲ４等化を行い、ＰＲ４等化信号３を出力する。信号状態判別回路６０はＰＲ４等化回路２より入力されたＰＲ４等化信号３の信号状態を実施の形態２と同様の動作を行って判別し、図４に示すようなＥＰＲ４方式が有利であると判定されている時にＨレベルとなる状態判別信号１３を出力する。タイミング制御信号回路５２は信号状態判別回路６０より入力された状態判別信号１３より、実施の形態２と同様の動作を行って、選択回路１４の制御信号となりＰＲ４ＭＬ方式とＥＰＲ４ＭＬ方式とを選択する選択信号５５、ＥＰＲ４変換フィルタ６４およびＥＰＲ４ビタビ復号回路５１の動作を制御するＥＰＲ４制御信号５３、ＰＲ４ビタビ復号回路５０の動作を制御するＰＲ４制御信号５４とをそれぞれ出力する。図４に示す状態判別信号１３と、タイミング制御信号発生回路５２により発生するＥＰＲ４制御信号５３、ＰＲ４制御信号５４、および選択信号５５のタイミング関係は実施の形態２の場合と全く同様である。
【００８５】
ＰＲ４ビタビ復号回路５０は、タイミング制御信号発生回路５２より入力されるＰＲ４制御信号５４がＨレベルのときに通常の動作をおこない、ＰＲ４制御信号５４がＬレベルのときには動作を停止して消費電力を低減するよう構成されており、ＰＲ４制御信号５４に応じて、ＰＲ４復号データ５を生成して出力する。
【００８６】
ＥＰＲ４変換フィルタ６４は、タイミング制御信号発生回路５２より入力されるＥＰＲ４制御信号５３がＨレベルのときに通常の動作をおこない、Ｌレベルのときには動作を停止して消費電力を低減するよう構成されており、ＥＰＲ４制御信号５３に応じて、ＥＰＲ４等化信号９を出力する。
【００８７】
ＥＰＲ４ビタビ復号回路５１は、タイミング制御信号発生回路５２より入力されるＥＰＲ４制御信号５３がＨレベルのときに通常の動作をおこない、Ｌレベルのときには動作を停止して消費電力を低減するよう構成されており、ＥＰＲ４制御信号５３に応じてＥＰＲ４変換フィルタより出力されるＥＰＲ４等化信号９を復号してＥＰＲ４復号データ１１を出力する。
【００８８】
選択回路１４は、タイミング制御信号発生回路５２より出力された選択信号５５がＨレベルのときにＥＰＲ４復号デ−タ１１を、選択信号５５がＬレベルのときにＰＲ４復号デ−タ５を選択して再生デ−タ１５として出力する。
【００８９】
以上の構成および動作により、本実施の形態では再生信号自身から信号の状態をリアルタイムでモニタしてＰＲ４ＭＬ方式とＥＰＲ４ＭＬ方式とから最良の方式を随時自動的に選択することで、常に低い誤り率でデ−タを検出できる。さらに、選択に際してデ−タを途切れさせることなくタイミングを制御しながら一方の復号回路を停止させることで消費電力を低減することができる。
【００９０】
特に、実施の形態２と比較すると、ＰＲ４等化信号３のみから信号状態を判別する構成にしたことで状態判別の精度向上と回路規模の低減に効果があるとともに、ＥＰＲ４変換フィルタ６４も電力が低減できることから一層消費電力が削減できる。
【００９１】
【発明の効果】
以上のように本発明によれば、再生信号自身から信号の状態をリアルタイムでモニタし、再生信号の状態に応じてＰＲ４ＭＬ方式とＥＰＲ４ＭＬ方式とから最良の方式を随時自動的に選択し、常に低い誤り率でデ−タを検出できる。特に、方式の選択に際して記録媒体上の位置情報などからあらかじめ記録線密度の情報を得る必要がない。
【００９２】
また、記録媒体や磁気ヘッドの特性ばらつきや経時変化などにより再生信号に含まれる信号成分と雑音成分の周波数分布が変動している場合にも、ＰＲ４ＭＬ方式とＥＰＲ４ＭＬ方式とから最良の方式を常時自動的に選択できる。
【００９３】
また、線記録密度が一定ながら、記録媒体と磁気ヘッド間の接触部が比較的不安定なことによりＰＲ４ＭＬ方式とＥＰＲ４ＭＬ方式との優劣関係が常時変動する磁気テ−プ装置などにも適用できる。
【００９４】
また、再生信号の状態に応じて復号回路の動作を制御することで、方式の選択に際して、デ−タを途切れさせることなく消費電力を低減することができる。
【図面の簡単な説明】
【図１】本発明の実施の形態１におけるデ−タ検出装置の構成を示すブロック図
【図２】信号状態判別回路１２の詳細な構成を示すブロック図
【図３】本発明の実施の形態２におけるデ−タ検出装置の構成を示すブロック図
【図４】タイミング制御信号発生回路５２の動作を説明するタイミング図
【図５】本発明の実施の形態３におけるデ−タ検出装置の構成を示すブロック図
【図６】信号状態判別回路６０の詳細な構成を示すブロック図
【図７】本発明の実施の形態４におけるデ−タ検出装置の構成を示すブロック図
【符号の説明】
２  ＰＲ４等化回路
４、５０  ＰＲ４ビタビ復号回路
６、６４  ＥＰＲ４変換フィルタ
１０、５１  ＥＰＲ４ビタビ復号回路
１２、６０  信号状態判別回路
１４  選択回路
２０  ＰＲ４誤差検出回路
２９、３２  自乗回路
３０、３３  平滑回路
３５  判定回路
３６  係数回路
３７  比較回路
３８  ＥＰＲ４誤差検出回路
５２  タイミング制御信号発生回路
【図１】
0004048681.tif 000006
【図２】
0004048681.tif 000007
【図３】
0004048681.tif 000008
【図４】
0004048681.tif 000009
【図５】
0004048681.tif 000010
【図６】
0004048681.tif 000011
【図７】
0004048681.tif 000012